(57)【特許請求の範囲】
【請求項１】
左右一組の登り桁Ｎを側面斜行状態で平行な上桁１と下桁２で形成し、当該左右の上桁１と下桁２に、複数段の踏み板３を水平に差し渡してその両端を枢設し、此等の上桁１と下桁２と踏み板３とで側面平行なリンク機構を構成してなる階段装置において、前記上桁１の下端部と階下部Ｄの設置金具Ｋとを偏心回転自在に連結支持したことを特徴とする階段装置。
【請求項２】
設置金具Ｋの軸受板１８に偏心用回転板１９を嵌合し、上桁１下端部の偏心用接続金具２０に偏心用回転板２１を嵌合し、これらの偏心用回転板１９、２１の偏心位置に連結軸２２を貫通支持してなる請求項１に記載の階段装置。
【請求項３】
設置金具Ｋの基台１７後部に係合溝１７Ａを形成し、下桁２下端部の接続金具２３に係合突部２２Ａを設け、当該係合突部２２Ａを前記係合溝１７Ａに係合し、その上面を押えカバー２４で抜け止め支持してなる請求項２に記載の階段装置。
【請求項４】
上桁１の底面と下桁２の上面に、中間カバー１５を狭着支持してなる請求項１、請求項２、請求項３に記載の階段装置。
【請求項５】
左右一組の登り桁Ｎを側面斜行状態で平行な上桁１と下桁２で形成し、当該左右の上桁１と下桁２に、複数段の踏み板３を水平に差し渡してその両端を枢設し、此等の上桁１と下桁２と踏み板３とで側面平行なリンク機構を構成してなる階段装置において、前記上桁１の下端部と階下部Ｄの設置金具Ｋとを偏心回転自在に連結支持し、前記下桁２の上端部と階段階上部Ｕの掛架金具Ｈとを偏心回転自在に連結支持し、左右の掛架金具Ｈの間には補助踏み板７を連結したことを特徴とする階段装置。
【発明の詳細な説明】
【０００１】
【発明の属する技術分野】
本発明は、建造物の上下階を上り下りするに、階中間部に踊り場のある屈折階段や直階段等における階段階下部と踊り場との間、踊り場と階段階上部との間に掛架される階段装置であって、特に、建築途中で生じた誤差が建物の階段部分に皺寄せされることで、まちまちな階段高さに形成されていても、その誤差を吸収してそのまま掛架することができるようにした、高さ方向、奥行き方向の無段階調節機能付きの階段装置に関する。
【０００２】
【従来の技術】
本発明者は、特公平６−７６７２５号公報において、「左右一組の登り桁を側面斜行状態で平行な２本の上桁と下桁で形成し、当該左右の上桁と下桁に、複数段の踏み板を水平に差し渡してその両端を枢設し、此等の上桁と下桁と踏み板とで側面平行なリンク機構を構成してなる階段装置において、前記上桁と下桁の上端部と階段階上部との掛架金具とを偏心回転自在に連結支持してなる階段装置」を提供している。
この偏心構造の階段装置によれば、階段装置を掛架すべき階段階下部と階中間部の踊り場との間、当該踊り場と階段階上部との間における高さ方向の上下間隔が高低変化していたり、或は、階段階上部の前端部と踊り場の設置部所との間、踊り場の前端部と階段階下部の設置部所との前後奥行き方向の間隔が変化しているような場合にも、階段階上部の掛架金具に対して上桁上端部の偏心軸と下桁上端部の偏心軸を相対的に偏心回転させることで、複数段の踏み板が常に水平状態を維持しつつ上桁と下桁を適度な傾斜勾配に掛架支持することができる。
【０００３】
【発明が解決しようとする課題】
ところが、特公平６−７６７２５号公報に開示した偏心構造の階段装置の実施化に当たって、細部に亘って技術的に再検討したところ、次のような問題点のあることが判明した。
先ず、第１には、人間が階段を上り下りする上での人間工学的な観点に基づく要請に対応できることが必要である。
そもそも、屈折階段の場合における階段の傾斜勾配は、通常、３０度強から４０度程度の角度に設計され、下階の階段階下部と階中間部の踊り場との間（下階側）、当該踊り場と上階の階段階上部との間（上階側）にかけて、屈折状態に階段が構成され、これが多数階に亘って繰り返されることで、屋内外に屈折階段が構成される。
従って、この屈折階段を多数階に亘って上り下りするに、下階から階中間部の踊り場にかけて直線的に上り下りし、当該踊り場部分で方向変換した上で、上階へ上り下りすることが、日常的に繰り返される。
その際、屈折階段における階段階下部、階中間部の踊り場、階段階上部等で方向変換して上り下りする際に、昇降者が可能な限り小さい回転半径で方向転換できることが、人間工学的に求められる。
ところが、特公平６−７６７２５号公報に示す階段装置の場合には、上桁の下端部を斜め下方へ直線状に形成し、その下端部を設置金具に枢設しており、第１段目の踏み板より手前側への張り出し部分の存在により、かなり大回りな方向転換を強いられ、方向転換を小さな回転半径で行おうとする昇降者の本性にそぐわないものである。
そこで、本発明では、前記の課題に対処するに、第１段目の踏み板より手前側への張り出しを極力短くする観点から、上桁下端部における前方への出っ張りを可能な限り短く形成し、それに応じて、下桁下端部の接続金具とその設置金具を偏心回転自在な構造することに着眼したのである。
【０００５】
【問題点を解決するための手段】
そこで、本発明は、左右一組の登り桁を側面斜行状態で平行な上桁と下桁で形成し、当該左右の上桁と下桁に、複数段の踏み板を水平に差し渡してその両端を枢設し、此等の上桁と下桁と踏み板とで側面平行なリンク機構を構成してなる階段装置において、前記上桁の下端部と階段階下部の設置金具とを偏心回転自在に連結支持してなる階段装置を提供する。
【０００６】
【実施の形態】
本発明における階段装置の本体部は、その掛架状態を示す図１の側面図に示すように、側面斜行状態で平行に形成した上部側の上桁１と下部側の下桁２とからなる左右両側位置の登り桁Ｎと、当該登り桁Ｎの上桁１と下桁２に水平に差し渡して、その左右両端部を枢設した複数段の踏み板３と、上桁１と下桁２の上端部に連結され、階中間部の踊り場や上階の框部（以下、階段階上部Ｕという）に掛架支持される掛架金具Ｈと、上桁１と下桁２の下端部に連結され、下階の床面や階中間部の踊り場の床面（以下、階段階下部Ｄという）に据付支持される設置金具Ｋとからなる。
また、手摺り枠Ｗは、掛架金具Ｈと設置金具Ｋを結ぶ線上であって、登り桁Ｎの内側位置における踏み板３の左右両端位置に構成される。
【０００７】
先ず、階段装置の上部構造を、図２の側面図と図４の分解図に従って説明する。階段階上部Ｕに掛架される掛架金具Ｈは、外側部材４と、それに合着されて連結される内側部材５とからなり、その内、外側部材４には、階段階上部Ｕの框部分への当接用角部４Ａが中央下部位置に形成され、また、その上部から後方へ向かって断面Ｌ字状のフランジ部４Ｂが形成され、当該フランジ部４Ｂが框部分の左右両側位置に立ち上げたアンカーに支持される。
外側部材４の前半部分と内側部材５は、左右略同一形状で側面横Ｖ字状に形成され、これらの外側部材４と内側部材５の前端部の中央位置には、上桁１の上端部に嵌合固定した接続金具６が挟着支持される。
７は左右１組の掛架金具Ｈの間に差し渡した最上段の補助踏み板であって、その上面が階段階上部Ｕの床面と略面一に形成され、当該補助踏み板７の前部支持軸８Ｆを前記掛架金具Ｈの通孔４Ｃ、５Ａと接続金具６の通孔６Ａに嵌挿した上で連結ボルト９Ｆにより固定し、また、補助踏み板７の後部支持軸８Ｒを、掛架金具Ｈの中央後部位置に形成した通孔４Ｄ、５Ｂに嵌挿した上で連結ボルト９Ｒにより固定している。
また、掛架金具Ｈにおける外側部材４と、これに合着される内側部材５の下部位置には円形孔４Ｅ、５Ｃが形成され、当該円形孔４Ｅ、５Ｃには偏心用回転板１０、１１が嵌め込まれる。
１２は下桁２の上端部に嵌合固定され、斜め上向きに曲げ上げ形成した偏心用接続金具であって、当該偏心用接続金具１２に形成した円形孔１２Ａには偏心用回転板１３を嵌め込んでいる。
そこで、下桁２上端部に嵌合固定した偏心用接続金具１２を、掛架金具Ｈの下部位置の外側部材４と内側部材５との間に挟着支持した上で、個々の偏心用回転板１０、１１、１３の偏心位置に形成した通孔１０Ａ、１１Ａ、１３Ａに連結軸１４を貫挿し、ナット１４Ａで固定している。
尚、１５は上桁１と下桁２の間に挟着支持された帯板状の中間カバーであって、上桁１の下面中央部に形成したスリット溝１Ａと下桁２の上面中央部に形成したスリット溝２Ａとの間に嵌め込まれ、中間カバー１５の上端部に形成したフック部１５Ａを、掛架金具Ｈの中央部に差し渡した連結ピン１６に係合支持している。
【０００８】
次に、階段装置の下部構造を、図３の側面図と図５の分解図に従って説明する。階段階下部Ｄの床面に据え付けられ、アンカーに固定される設置金具Ｋは、基台１７上に左右間隔を隔てて軸受板１８が立ち上げられ、当該軸受板１８に形成した円形孔１８Ａには偏心用回転板１９が嵌め込まれる。
上桁１の下端部には、下端部を前下がりに曲げた偏心用接続金具２０が嵌め込まれ、当該接続金具２０の円形孔２０Ａに嵌め込んだ偏心用回転板２１と、前記軸受板１８に嵌め込んだ偏心用回転板１９の偏心位置に形成した通孔１９Ａ、２１Ａに連結軸２２を貫挿し、ナット２２Ａで固定している。
設置金具Ｋにおける基台１７の後部位置には、係合溝１７Ａが凹設され、当該係合溝１７Ａには、下桁２下端部の接続金具２３に形成した係合突部２３Ａが嵌め込まれる。２４は軸受板１８の後部に固定した左右１組の押えカバーであって、前記接続金具２３の上方への抜け止めと、下桁２下端部の接続金具２３を回転案内すべく、その後部上方を弧状に形成している。
尚、中間カバー１５の下端部には挿通部１５Ｂが形成され、上桁１下端部の偏心用接続金具２０と、設置金具Ｋにおける軸受板１８間の基台１７との間に挿通支持している。
また、最上段の補助踏み板７を除く踏み板３は、当該補助踏み板７と第１段の踏み板３Ａとの間を等分する位置に多段に構成され、これらの踏み板３、３Ａは踏み板部２５Ａと蹴上げ板部２５Ｂが側面Ｌ字状に形成され、また、踏み板３の両端部に突設した前部支持軸３Ｆと後部支持軸３Ｒのうち、前部側支持軸３Ｆが上桁１に、また、後部支持軸３Ｒが下桁２にそれぞれ貫挿された上で、連結ボルト２６Ｆ、２６Ｒにより固定される。
尚、第１段の踏み板３Ａの前部支持軸３Ｆは、上桁１の下端部の偏心用接続金具２０に貫挿された上で、連結ボルト２６Ｆで固定される。
【０００９】
而して、前記の階段装置を持ち上げ、その上端部の掛架金具Ｈを階段階上部Ｕの框部分に掛架し、下端部の設置金具Ｋを階段階下部Ｄの床面に設置した上で、掛架金具Ｈの当接用角部４Ａを階段階上部Ｕの框部分に当接係合させるべく、下桁２上端部の偏心構造を回転調整し、且つ、設置金具Ｋの基台１７底面を階段階下部Ｄの床面に据え付けるべく、上桁１下端部の偏心構造を回転調整する。
これにより、複数段の踏み板３、３Ａの総てが水平状態を維持しつつ、上桁１と下桁２を図１に示すような傾斜勾配に無段階に変更調節せしめる。
【００１０】
尚、本発明の階段装置に取り付けられる手摺り枠Ｗを説明する。
２７は手摺り枠Ｗの上部支持金具であって、階段階上部Ｕに掛架した掛架金具Ｈにおける内側部材５の内側上部位置に取り付けられる。
２８は手摺り枠Ｗの下部支持金具であって、階段階下部Ｄに据え付けた設置金具Ｋにおける基台１７の内側位置に取り付けられる。
手摺り枠Ｗは、断面横長矩形枠状に成型した１本の長尺鋼材の左右両端部を折れ曲げることにより、上部鉛直部２９Ａと下部鉛直部２９Ｂとこれらの上端を連結する中間傾斜部２９Ｃとから構成され、その内、上部鉛直部２９Ａの下端部が上部支持金具２７に固定され、また、下部鉛直部２９Ｂの下端部が下部支持金具２８に固定される。
３０は踏み板３、３Ａの左右両端部に立ち上げた断面円管状の手摺り柵であって、逆Ｕ字状に曲成され、その上端部を手摺り枠Ｗの底部にブラケット（図示せず）を介して固定し、また、その下端部を踏み板３、３Ａの両端部に貫挿した上で、ナット３１で固定している。
【００１１】
【発明の効果】
本発明は、前記のように左右一組の登り桁を側面斜行状態で平行な上桁と下桁で形成し、当該左右の上桁と下桁に、複数段の踏み板を水平に差し渡してその両端を枢設し、此等の上桁と下桁と踏み板とで側面平行なリンク機構を構成してなる階段装置において、前記上桁の下端部と階段階下部の設置金具とを偏心回転自在に連結支持したので、屈折階段における階段階下部、階中間部の踊り場、階段階上部等で方向変換して上り下りする際に、第１段目の踏み板より前方への上桁の出っ張りを短く形成でき、その為、昇降者は可能な限り小さい回転半径で安全に方向転換でき、小回りすることで楽をしたいという、人間工学的な要請にも有効に対応することができる。
【図面の簡単な説明】
【図１】階段装置の取付状態を示す側面図である。
【図２】階段の上部構造を示す拡大側面図である。
【図３】階段の下部構造を示す拡大側面図である。
【図４】階段の上部構造を示す分解斜視図である。
【図５】階段の下部構造を示す分解斜視図である。
【図６】下桁上端部の偏心用接続金具と掛架金具との連結構造を示す断面図である。
【図７】上桁下端部の偏心用接続金具と設置金具との連結構造を示す断面図である。
【図８】図１の場合より、高さの低い階段階上部へ階段装置を掛架した状態を示す側面図である。
【図９】先行技術の階段装置の骨組図であって、高所部に掛架した場合に発生する間隙幅βを示す概要説明図である。
【図１０】先行技術の階段装置を、低所部に掛架した場合に、最上段の踏み板と階段階上部との間に発生する段差αを示す概要説明図である。
【符号の説明】
Ｕ  階上部
Ｄ  階下部
Ｈ  掛架金具
Ｋ  設置金具
Ｗ  手摺り枠
１  上桁
２  下桁
３  踏み板
４  外側部材
５  内側部材
６  接続金具
７  補助踏み板
１０、１１、１３  偏心用回転板
１２  偏心用接続金具
１４  連結軸
１５  中間カバー
１６  連結ピン
１７  基台
１８  軸受板
１９、２１  偏心用回転板
２０  偏心用接続金具
２２  連結軸
２３  接続金具
２４  押さカバー
２６  上部支持金具
２７  下部支持金具
３０  手摺り柵
【図１】
0003732609.tif 000002
【図２】
0003732609.tif 000003
【図３】
0003732609.tif 000004
【図４】
0003732609.tif 000005
【図５】
0003732609.tif 000006
【図６】
0003732609.tif 000007
【図７】
0003732609.tif 000008
【図８】
0003732609.tif 000009
【図９】
0003732609.tif 000010
【図１０】
0003732609.tif 000011